【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
端末装置と通信可能な画像形成装置であって、
前記画像形成装置の固有情報を記憶する記憶手段と、
前記端末装置から送信された印刷ジョブのヘッダ情報を解析し、前記印刷ジョブのデータのセキュリティレベルを判定する判定手段と、
送信要求に伴い前記端末装置から送信されたユーザ情報と前記ヘッダ情報に記述されたユーザ情報とを比較し、前記記憶手段に記憶された固有情報と前記ヘッダ情報に記述された固有情報とを比較する比較手段と、
前記判定手段により判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を実行する印刷制御手段と、
を備えることを特徴とする画像形成装置。
【請求項２】
前記ユーザ情報は、前記端末装置のユーザを識別するユーザＩＤと前記端末装置を識別する端末装置ＩＤを含み、
前記印刷制御手段は、前記各々のユーザＩＤ及び端末装置ＩＤが一致し且つ前記各々の固有情報が一致する場合、前記ヘッダ情報に記述された出力部数に従い前記印刷ジョブのデータの印刷を実行することを特徴とする請求項１記載の画像形成装置。
【請求項３】
端末装置と通信可能な画像形成装置であって、
前記画像形成装置の固有情報を記憶する記憶手段と、
前記端末装置から送信された印刷ジョブのデータに前記画像形成装置の固有情報を付加し暗号化する暗号化手段と、
前記暗号化手段により暗号化されたデータを格納する格納手段と、
前記端末装置からデータの印刷が要求された場合、前記格納手段から読み出したデータに付加された固有情報と前記記憶手段に記憶された固有情報とが一致する場合、前記格納手段から読み出したデータを復号化する復号化手段と、
前記復号化手段により復号化されたデータの印刷を実行する印刷制御手段と、
を備えることを特徴とする画像形成装置。
【請求項４】
前記印刷ジョブのヘッダ情報を解析し、前記印刷ジョブのデータのセキュリティレベルを判定する判定手段を更に備え、
前記暗号化手段は、前記判定手段により判定されたセキュリティレベルが前記印刷ジョブのデータの機密保持を要するレベルを表わす場合、前記印刷ジョブのデータに前記画像形成装置の固有情報を付加し暗号化することを特徴とする請求項３記載の画像形成装置。
【請求項５】
画像形成装置及び端末装置と通信可能な印刷管理装置であって、
前記画像形成装置の固有情報を記憶する記憶手段と、
前記端末装置から送信された印刷ジョブのヘッダ情報を解析し、前記印刷ジョブのデータのセキュリティレベルを判定する判定手段と、
送信要求に伴い前記端末装置から送信されたユーザ情報と前記ヘッダ情報に記述されたユーザ情報とを比較し、前記記憶手段に記憶された固有情報と前記ヘッダ情報に記述された固有情報とを比較する比較手段と、
前記判定手段により判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を前記画像形成装置に指示する印刷制御手段と、
を備えることを特徴とする印刷管理装置。
【請求項６】
前記ユーザ情報は、前記端末装置のユーザを識別するユーザＩＤと前記端末装置を識別する端末装置ＩＤを含み、
前記印刷制御手段は、前記各々のユーザＩＤ及び端末装置ＩＤが一致し且つ前記各々の固有情報が一致する場合、前記ヘッダ情報に記述された出力部数に従った前記印刷ジョブのデータの印刷を前記画像形成装置に指示することを特徴とする請求項５記載の印刷管理装置。
【請求項７】
端末装置と通信可能な画像形成装置の印刷制御方法であって、
前記端末装置から送信された印刷ジョブのヘッダ情報を解析し、前記印刷ジョブのデータのセキュリティレベルを判定する判定ステップと、
送信要求に伴い前記端末装置から送信されたユーザ情報と前記ヘッダ情報に記述されたユーザ情報とを比較し、前記画像形成装置内に記憶された前記画像形成装置の固有情報と前記ヘッダ情報に記述された固有情報とを比較する比較ステップと、
前記判定ステップにより判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を実行する印刷制御ステップと、
を備えることを特徴とする印刷制御方法。
【請求項８】
端末装置と通信可能な画像形成装置の印刷制御方法であって、
前記端末装置から送信された印刷ジョブのデータに前記画像形成装置の固有情報を付加し暗号化する暗号化ステップと、
前記暗号化ステップにより暗号化されたデータを格納手段に格納する格納ステップと、
前記端末装置からデータの印刷が要求された場合、前記格納手段から読み出したデータに付加された固有情報と、前記画像形成装置内に記憶された前記画像形成装置の固有情報とが一致する場合、前記格納手段から読み出したデータを復号化する復号化ステップと、
前記復号化ステップにより復号化されたデータの印刷を実行する印刷制御ステップと、を備えることを特徴とする印刷制御方法。
【請求項９】
印刷制御方法をコンピュータに実行させるプログラムであって、
前記端末装置から送信された印刷ジョブのヘッダ情報を解析し、前記印刷ジョブのデータのセキュリティレベルを判定する判定モジュールと、
送信要求に伴い前記端末装置から送信されたユーザ情報と前記ヘッダ情報に記述されたユーザ情報とを比較し、前記画像形成装置内に記憶された前記画像形成装置の固有情報と前記ヘッダ情報に記述された固有情報とを比較する比較モジュールと、
前記判定モジュールにより判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を実行する印刷制御モジュールと、
を備えることを特徴とするプログラム。
【請求項１０】
印刷制御方法をコンピュータに実行させるプログラムであって、
前記端末装置から送信された印刷ジョブのデータに前記画像形成装置の固有情報を付加し暗号化する暗号化モジュールと、
前記暗号化モジュールにより暗号化されたデータを格納手段に格納する格納モジュールと、
前記端末装置からデータの印刷が要求された場合、前記格納手段から読み出したデータに付加された固有情報と、前記画像形成装置内に記憶された前記画像形成装置の固有情報とが一致する場合、前記格納手段から読み出したデータを復号化する復号化モジュールと、
前記復号化モジュールにより復号化されたデータの印刷を実行する印刷制御モジュールと、
を備えることを特徴とするプログラム。
【手続補正２】
【補正対象書類名】明細書
【補正対象項目名】発明の名称
【補正方法】変更
【補正の内容】
【発明の名称】画像形成装置、印刷管理装置、印刷制御方法、及びプログラム
【手続補正３】
【補正対象書類名】明細書
【補正対象項目名】０００１
【補正方法】変更
【補正の内容】
【０００１】
本発明は、画像形成装置に関し、特に機密保持を要するデータの印刷が可能な画像形成装置、印刷管理装置、印刷制御方法、及びプログラムに関する。
【手続補正４】
【補正対象書類名】明細書
【補正対象項目名】０００８
【補正方法】変更
【補正の内容】
【０００８】
本発明の目的は、ユーザの所望する印刷環境や印刷条件を特定することを可能とし、従来のような暗証コードの重複や漏洩などの不具合を引き起こすことなく、確実に機密保持を図った印刷を行うことを可能とした画像形成装置、印刷管理装置、印刷制御方法、及びプログラムを提供することにある。
【手続補正５】
【補正対象書類名】明細書
【補正対象項目名】０００９
【補正方法】変更
【補正の内容】
【０００９】
上述の目的を達成するために、本発明の画像形成装置は、端末装置と通信可能な画像形成装置であって、前記画像形成装置の固有情報を記憶する記憶手段と、前記端末装置から送信された印刷ジョブのヘッダ情報を解析し、前記印刷ジョブのデータのセキュリティレベルを判定する判定手段と、送信要求に伴い前記端末装置から送信されたユーザ情報と前記ヘッダ情報に記述されたユーザ情報とを比較し、前記記憶手段に記憶された固有情報と前記ヘッダ情報に記述された固有情報とを比較する比較手段と、前記判定手段により判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を実行する印刷制御手段と、を備えることを特徴とする。
【手続補正６】
【補正対象書類名】明細書
【補正対象項目名】００１０
【補正方法】変更
【補正の内容】
【００１０】
上述の目的を達成するために、本発明の画像形成装置は、端末装置と通信可能な画像形成装置であって、前記画像形成装置の固有情報を記憶する記憶手段と、前記端末装置から送信された印刷ジョブのデータに前記画像形成装置の固有情報を付加し暗号化する暗号化手段と、前記暗号化手段により暗号化されたデータを格納する格納手段と、前記端末装置からデータの印刷が要求された場合、前記格納手段から読み出したデータに付加された固有情報と前記記憶手段に記憶された固有情報とが一致する場合、前記格納手段から読み出したデータを復号化する復号化手段と、前記復号化手段により復号化されたデータの印刷を実行する印刷制御手段と、を備えることを特徴とする。
【手続補正７】
【補正対象書類名】明細書
【補正対象項目名】００１１
【補正方法】変更
【補正の内容】
【００１１】
上述の目的を達成するために、本発明の印刷管理装置は、画像形成装置及び端末装置と通信可能な印刷管理装置であって、前記画像形成装置の固有情報を記憶する記憶手段と、前記端末装置から送信された印刷ジョブのヘッダ情報を解析し、前記印刷ジョブのデータのセキュリティレベルを判定する判定手段と、送信要求に伴い前記端末装置から送信されたユーザ情報と前記ヘッダ情報に記述されたユーザ情報とを比較し、前記記憶手段に記憶された固有情報と前記ヘッダ情報に記述された固有情報とを比較する比較手段と、前記判定手段により判定されたセキュリティレベルが前記印刷ジョブのデータの機密保持を要するレベルを表わす場合、前記各々のユーザ情報が一致し且つ前記各々の固有情報が一致することを条件に、前記印刷ジョブのデータの印刷を前記画像形成装置に指示する印刷制御手段と、を備えることを特徴とする。
【手続補正８】
【補正対象書類名】明細書
【補正対象項目名】００１８
【補正方法】変更
【補正の内容】
【００１８】
セキュリティレベル判定部１０１は、印刷ジョブのヘッダ情報を解析し、機密保持を要する文書データか否かを判別する。ユーザＩＤ判定部１０２は、ヘッダ情報に記述されたユーザＩＤに基づき、印刷ジョブを送信したユーザを特定する。端末ＩＤ判定部１０３は、ヘッダ情報に記述されたユーザ端末ＩＤに基づき、印刷ジョブを送信したユーザ端末を特定する。プリンタＩＤ判定部１０４は、ヘッダ情報に記述されたプリンタＩＤに基づき、印刷ジョブ送信元で指定されたプリンタを特定する。プリンタＩＤ記憶部１０５は、画像形成装置固有の機体番号を記憶している。